(57)【要約】【課題】受信クロックの抽出にバンドパスフィルタやＰＬＬ回路を使用することなく且つ伝送する信号パターンに影響を受けない光伝送装置を提供する。【解決手段】光伝送装置１０は、送信部１からデータ信号およびクロック信号に応じて動作するレーザ駆動回路１１およびレーザダイオード１２を含む送信側１からの光信号を、光ファイバケーブル１３を介して伝送し、受信側２でデータ信号およびクロック信号を再生する。送信側１では、データ信号の「０」にクロック信号の「Ｈ」を重畳し、データ信号の「１」にクロック信号の「Ｌ」を重畳すると共に直流バイアスを重畳する。受信側２では、受信信号およびそのデータ「Ｈ」レベル検出回路１７およびデータ「Ｌ」ピーク検出回路１８の検出出力に基づき、差動増幅器４４、４７、リミッタアンプ４５、４８およびＯＲゲート４９によりなるクロック抽出回路１９でクロック信号を抽出する。【選択図】　　　　　図１
2004064178.tif 000002
【特許請求の範囲】
【請求項１】
レーザダイオード駆動回路で駆動されるレーザダイオードを含む送信側からのレーザ光を、光ファイバケーブルを介して受信側へ送信し、前記送信側からＮＲＺ変調方式で送信されるデータ信号およびクロック信号を前記受信側で再生する光伝送装置において、
前記送信側の前記レーザダイオード駆動回路は、前記データ信号の「０」に前記クロック信号の「Ｈ」レベルを重畳し、前記データ信号の「１」に前記クロック信号の「Ｌ」レベルを重畳するデータ・クロック重畳回路を備え、前記重畳した信号を前記レーザダイオードに供給して送信することを特徴とする光伝送装置。
【請求項２】
前記レーザダイオード駆動回路は、前記クロック信号の振幅より大きい直流バイアスを重畳するバイアス重畳回路を備えることを特徴とする請求項１に記載の光伝送装置。
【請求項３】
前記データ・クロック重畳回路は、前記データ信号および前記クロック信号を位相反転するＮＯＴゲート、それぞれ該ＮＯＴゲートの反転前後の前記データ信号および前記ＮＯＴゲートで反転前後のクロック信号を入力とする１対のＡＮＤゲートおよび該両ＡＮＤゲートの出力を入力とするＯＲゲートを含むことを特徴とする請求項１又は２に記載の光伝送装置。
【請求項４】
前記受信側は、前記光ファイバケーブルから出力される光信号を電気信号に変換した受信データ信号のピーク値を検出するピーク検出回路と、該ピーク検出回路の出力および前記受信データ信号に基づきクロック信号を抽出するクロック抽出回路とを備えることを特徴とする請求項１乃至３の何れかに記載の光伝送装置。
【請求項５】
前記ピーク検出回路は、前記データ信号の「１」に重畳された「Ｌ」レベルパルスおよび前記データ信号の「０」に重畳された「Ｈ」レベルパルスを抽出するデータ「Ｈ」レベルピーク検出回路およびデータ「Ｌ］レベルピーク検出回路を含むことを特徴とする請求項４に記載の光伝送装置。
【請求項６】
前記クロック抽出回路は、前記受信データ信号を増幅する差動増幅器、該差動増幅器の出力を増幅するリミッタアンプを含むことを特徴とする請求項４又は５に記載の光伝送装置。
【請求項７】
送信側からデータ信号およびクロック信号に応じてレーザダイオード駆動回路を駆動してレーザダイオードの光信号を、光ファイバケーブルを介して伝送し、受信側で前記データ信号および前記クロック信号を再生出力する光伝送装置において、
前記送信側では、前記データ信号の「０」にクロック信号の「Ｈ」レベルパルス、「１」に前記クロック信号の「Ｌ」レベルパルスをそれぞれ重畳すると共に前記データ信号に前記クロック信号の振幅より大きい直流バイアスを重畳し、
前記受信側では、前記データ信号の振幅のピーク検出を行い、前記データ信号の「１」に重畳した「Ｌ」レベルパルスおよび「０」に重畳した「Ｈ」レベルパルスを抽出し、該両パルスを加算して前記クロック信号を生成することを特徴とする光伝送装置。
【発明の詳細な説明】
【０００１】
【発明の属する技術分野】
本発明は光伝送装置に関し、特に光伝送装置におけるクロック信号の伝送およびタイミングクロック信号の抽出の改良に関する。
【０００２】
【従来の技術】
このような、光伝送装置では一般的に送信部でディジタルの電気データ信号を光信号に変換し、光ファイバケーブルを使用して光信号を光受信部まで長距離にわたって伝送させる。その後に、その光受信部において光信号を電気信号に変換してディジタルデータ信号の等化再生およびクロック抽出を行い、大容量の情報の長距離伝送を可能にしている。
【０００３】
このような光受信部のクロック抽出は、受信したディジタルデータ信号の電気データ信号から、タイミングクロックを抽出する動作である。一般的に、ＳＡＷ（表面弾性波）フィルタを使用する共振器直接駆動形およびＰＬＬ（Ｐｈａｓｅ　Ｌｏｃｋ　Ｌｏｏｐ）を使用する位相同期形発振器（ＰＬＯ）等がある。近年、光通信技術の実用化と高度化が進み、データ速度の超高速化の要求が高まっている。これに対応して、システムを構成する各種デバイスの動作周波数は性能の限界に近付いている。そこで、システムの中でも最も広帯域を必要とするクロックの抽出回路が技術的キーポイントの１つとなってきている。
【０００４】
この要請に応えるために、例えば特開平５−２４４０９４号公報の「光伝送装置」に開示されている如く、送信側でＮＲＺ変調信号にクロック信号を重畳し、受信側でＮＲＺ変調信号に重畳されたクロック信号を抽出することが提案されている。図６のブロック図に示す如く、この従来技術に開示された光伝送装置１００は、レーザ駆動回路１１１、レーザダイオード１１２、光ファイバケーブル１１３、フォトダイオード１１４、プリアンプ１１５、データ再生回路１１７およびクロック抽出回路１１８により構成される。図６に示す光伝送装置１００は、ＮＲＺ変調方式の光伝送装置であって、ＮＲＺ変調信号に直流バイアスおよびこのバイアスよりも振幅の小さいクロック信号を重畳したレーザ光を送信側から出力する。
【０００５】
図７（ａ）は送信側１２０を示し、図７（ｂ）は受信側１３０を示す。送信機側１２０は、データ整形増幅器１２１、ＡＣ増幅器１２２、直流バイアス電流発生器１２３、伝送線路１２４、１２５、整合用抵抗器１２６、１２７およびコイル１２８により構成される。一方、受信機側１３０は、バンドパスフィルタ（ＢＰＦ）１３１、増幅器１３２および波形整形回路１３３により構成される。
【０００６】
図７（ａ）に示す送信側１２０では、レーザ光を出力する手段として、電流駆動によりレーザ光を発生する半導体レーザと、直流バイアス電流、クロックに同期して発生されたＮＲＺ変調信号電流およびバイアス電流より振幅の小さいクロック正弦波電流の３つを足し合わせた電流で半導体レーザを駆動するレーザ駆動回路とを設ける構成である。一方、受信側１３０は、クロック抽出回路として、基本的にはクロック周波数だけを選択的に増幅し、波形整形する回路である。バンドパスフィルタ１３１でクロック周波数を選択的に取り出した後に、増幅器１３２で信号を増幅し、最終的に波形整形回路１３３で整形して内部クロック信号として使用可能にする。波形整形回路１３３は、単純に矩形状に整形する回路、例えばリミッタ増幅器でもよいし、矩形状に整形するばかりでなく位相を調整する遅延回路等を含んでいてもよい。
【０００７】
【発明が解決しようとする課題】
上述の如き従来技術では、受信側のクロック抽出回路にバンドパスフィルタを使用しているため、長距離伝送した場合に光受信パワーが減衰する。プリアンプの出力振幅が小さくなると、特にデータの「０」部分に重畳した正弦波クロック部分の抽出が困難になり抽出したクロックが不安定になる恐れがある。そのため、長距離伝送するためにはバンドパスフィルタ１３１のＱ値の最適化設計が困難であり且つ回路構成が複雑になるという問題がある。
【０００８】
更に、送信側の半導体レーザの変調電流に正弦波でクロックを重畳している。そのため、ＮＲＺデータ変調信号と重畳した正弦波クロックの相対関係によっては、オーバーシュート、アンダーシュート又はリンギングとして異なった信号歪みとして現れる。これは、正弦波クロックに歪みを生じてしまうため、重畳する正弦波クロックの変調電流を大きくすることができず、長距離伝送が困難となるという問題点がある。
【０００９】
【発明の目的】
本発明は、従来技術の上述した課題に鑑みなされたものであり、受信クロック抽出にバンドパスフィルタやＰＬＬ回路を使用せず、伝送する信号パターンに影響を受けないばかりでなく、中断のない安定したクロックの抽出が可能であり且つ低コストで単純な回路構成の光伝送装置を提供することを目的とする。
【００１０】
【課題を解決するための手段】
前述の課題を解決するため、本発明による光伝送装置は次のような特徴的な構成を採用している。
【００１１】
（１）レーザダイオード駆動回路で駆動されるレーザダイオードを含む送信側からのレーザ光を、光ファイバケーブルを介して受信側へ送信し、前記送信側からＮＲＺ変調方式で送信されるデータ信号およびクロック信号を前記受信側で再生する光伝送装置において、
前記送信側の前記レーザダイオード駆動回路は、前記データ信号の「０」に前記クロック信号の「Ｈ」レベルを重畳し、前記データ信号の「１」に前記クロック信号の「Ｌ」レベルを重畳するデータ・クロック重畳回路を備え、前記重畳した信号を前記レーザダイオードに供給して送信する光伝送装置。
【００１２】
（２）前記レーザダイオード駆動回路は、前記クロック信号の振幅より大きい直流バイアスを重畳するバイアス重畳回路を備える上記（１）の光伝送装置。
【００１３】
（３）前記データ・クロック重畳回路は、前記データ信号および前記クロック信号を位相反転するＮＯＴゲート、それぞれ該ＮＯＴゲートの反転前後の前記データ信号および前記ＮＯＴゲートで反転前後のクロック信号を入力とする１対のＡＮＤゲートおよび該両ＡＮＤゲートの出力を入力とするＯＲゲートを含む上記（１）又は（２）の光伝送装置。
【００１４】
（４）前記受信側は、前記光ファイバケーブルから出力される光信号を電気信号に変換した受信データ信号のピーク値を検出するピーク検出回路と、該ピーク検出回路の出力および前記受信データ信号に基づきクロック信号を抽出するクロック抽出回路とを備える上記（１）乃至（３）の何れかの光伝送装置。
【００１５】
（５）前記ピーク検出回路は、前記データ信号の「１」に重畳された「Ｌ」レベルパルスおよび前記データ信号の「０」に重畳された「Ｈ」レベルパルスを抽出するデータ「Ｈ」レベルピーク検出回路およびデータ「Ｌ］レベルピーク検出回路を含む上記（４）の光伝送装置。
【００１６】
（６）前記クロック抽出回路は、前記受信データ信号を増幅する差動増幅器、該差動増幅器の出力を増幅するリミッタアンプを含む上記（４）又は（５）の光伝送装置。
【００１７】
（７）送信側からデータ信号およびクロック信号に応じてレーザダイオード駆動回路を駆動してレーザダイオードの光信号を、光ファイバケーブルを介して伝送し、受信側で前記データ信号および前記クロック信号を再生出力する光伝送装置において、
前記送信側では、前記データ信号の「０」にクロック信号の「Ｈ」レベルパルス、「１」に前記クロック信号の「Ｌ」レベルパルスをそれぞれ重畳すると共に前記データ信号に前記クロック信号の振幅より大きい直流バイアスを重畳し、
前記受信側では、前記データ信号の振幅のピーク検出を行い、前記データ信号の「１」に重畳した「Ｌ」レベルパルスおよび「０」に重畳した「Ｈ」レベルパルスを抽出し、該両パルスを加算して前記クロック信号を生成する光伝送装置。
【００１８】
【発明の実施の形態】
本発明の上述したおよびその他の目的、特徴および利点を明確にすべく、以下添付した図面を参照しながら、本発明による光伝送装置の好適実施形態につき詳細に説明する。
【００１９】
先ず、図１は、本発明による光伝送装置の好適実施形態の全体構成を示すブロック図である。この光伝送装置１０は、光ファイバケーブル１３により相互接続された送信側１および受信側２により構成される。送信側１は、レーザ駆動回路１１および半導体レーザダイオード１２により構成される。一方、受信側２は、光を検出するフォトダイオード１４、プリアンプ１５、データ等化・再生回路１６、データ「Ｈ」レベルピーク検出回路１７、データ「Ｌ」レベルピーク検出回路１８およびクロック抽出回路１９により構成される。
【００２０】
送信側１のレーザ駆動回路１１には、ＮＲＺ変調データ信号（ＤＡＴＡ　ＩＮ）、バイアス信号（ＢＩＡＳ）およびクロック信号（ＣＬＫ　ＩＮ）が入力され、これら３つの入力電圧に対応した電流が出力される。半導体レーザダイオード（ＬＤ）１２は、この電流により駆動され、ＮＲＺデータ変調電流に直流バイアスおよびクロック信号が重畳された光出力が得られ、光ファイバケーブル１３に入力される。
【００２１】
一方、受信側２のフォトダイオード（ＰＤ）１４は、光ファイバケーブル１３を介して入力されるレーザ光を電流信号に変換する。この電流信号は、プリアンプ１５により電流−電圧信号に変換および増幅される。この増幅された信号は、データ等化・再生回路１６、データ「Ｈ」レベルピーク検出回路１７、データ「Ｌ」レベルピーク検出回路１８およびクロック抽出回路１９に供給される。データ等化・再生回路１６は、プリアンプ１５により増幅された信号を更にポストアンプ（図示せず）で増幅し、リミッタアンプ（図示せず）によりＮＲＺ変調データ信号の再生およびクロック抽出回路１９により抽出されたクロック信号を使用してリタイミングされた後、ＮＲＺ変調データ信号を出力する。
【００２２】
クロック抽出回路１９は、後述する如くデータ「Ｈ」レベルピーク検出回路１７およびデータ「Ｌ」レベルピーク検出回路１８により検出されたピーク電圧値を増幅器のバイアス制御に使用し、ＮＲＺデータ変調信号のデータ「１」に重畳されたクロック信号のパルス列のみを取り出す増幅器、同様にＮＲＺデータ変調信号のデータ「０」に重畳されたクロック信号のパルス列のみを取り出す増幅器およびそれらのパルス列を加算してクロックを再生して出力する。
【００２３】
図２は、図１に示す光伝送装置１０にレーザ駆動回路１１およびレーザダイオード１２を含む送信側１の具体例の回路図である。ＮＺＲデータ変調信号の半導体レーザダイオード（以下、単にＬＤという）駆動回路１１は、ＮＲＺ変調データ信号（ＤＡＴＡ　ＩＮ）を入力とする差動出力形のバッファ２６、バッファ２６の差動出力を入力とするバイポーラトランジスタ（以下、単にトランジスタという）２７、２８、直流電流値がＩ１である定電流源３１および抵抗２９により構成されたＬＤ駆動電流回路を含み、トランジスタ２８のコレクタに直列接続された半導体レーザダイオード１２へＮＲＺデータ変調電流Ｉ１を供給する。
【００２４】
また、ＬＤ駆動回路１１は、バイアス信号を入力とするトランジスタ３６、そのエミッタに直列接続された抵抗３７およびコレクタに直列接続されたインダクタ３８により構成された直流バイアス電流回路を含み、直流バイアス電流値Ｉ３をＬＤ１２へ供給する。トランジスタ３６のベースには、バイアス信号（ＢＩＡＳ）が入力される。更に、ＬＤ駆動回路１１は、ＮＲＺデータ変調信号のデータ「１」の部分に入力クロック信号の反転パルス列を生成する回路を含み、ＮＲＺ変調データ信号（ＤＡＴＡ　ＩＮ）およびクロック信号（ＣＬＫ　ＩＮ）を入力とするＮＯＴ（位相反転）ゲート２１、ＡＮＤゲート２０により構成される。同様に、ＮＲＺデータ変調信号のデータ「０」の部分に入力クロック信号の正相パルス列を生成する回路は、ＮＲＺ変調データ信号（ＤＡＴＡ　ＩＮ）およびクロック信号（ＣＬＫ　ＩＮ）を入力とするＮＯＴゲート２３およびＡＮＤゲート２２により構成される。ＡＮＤゲート２０、２２の出力信号は、ＯＲゲート２４により論理和をとり、このＯＲゲート２４の出力信号は、ＬＤ１２にクロック信号情報を重畳するための信号として使用する。
【００２５】
上述したＬＤ１２のレーザ光にクロック信号情報を重畳する回路は、ＯＲゲート２４の出力信号を入力とする差動出力形のバッファ２５、このバッファ２５の差動出力を入力とするトランジスタ３２、３３、直流電流値がＩ２である定電流源３５および抵抗３４により構成される。これにより、ＬＤ１２へ直流バイアス電流よりも振幅の小さい矩形波パルス電流信号を重畳する。この構成により、ＬＤ１２が出力するレーザ光は、ＮＲＺデータ変調信号に直流バイアス信号およびクロック信号情報が重畳された光出力である。
【００２６】
次に、図３は、図１に示す光伝送装置１０の受信側２の具体例の構成図である。光検出回路は、フォトダイオード（以下、ＰＤという）１４により光ファイバケーブル１３を介して入力されたレーザ光が電流信号に変換する。この電流信号は、プリアンプ１５により電流−電圧信号に変換および増幅され、差動の電圧振幅信号を出力する。データ等化・再生回路１６は、プリアンプ１５により増幅された信号を更にポストアンプ（後段増幅）し、リミッタアンプによりＮＲＺ変調データ信号の再生およびクロック抽出回路により抽出されたクロック信号を使用してリタイミングされた後に、ＮＲＺ変調データ信号を出力する。
【００２７】
データ「Ｈ」レベルピーク検出回路１７は、プリアンプ１５から出力される差動電圧振幅信号を入力とする。そして、プリアンプ１５の差動電圧振幅信号からデータ「Ｈ」レベルのピーク電圧値を検出およびホールドする機能を有している。同様に、データ「Ｌ」レベルピーク検出回路１８は、プリアンプ１５から出力される差動電圧振幅信号を入力とする。そして、プリアンプ１５の差動電圧振幅信号からデータ「Ｌ」レベルのピーク電圧値を検出およびホールドする機能を有している。
【００２８】
次に、クロック抽出回路１９について説明する。このクロック抽出回路１９は、次の２つの回路部分による構成される。ＮＲＺデータ変調信号のデータ「１」に重畳されたクロック信号のパルス列のみを取り出す回路部分は、プリアンプ１５から出力される差動電圧振幅信号を入力とし、データ「Ｈ」レベルピーク検出回路１７により検出されたピーク電圧値を増幅器のバイアス制御回路に使用している差動増幅器４４およびこの差動増幅器４４の出力信号を入力とし、データ「１」に重畳されたクロック信号のパルス列を抽出するためのリミッタアンプ４５により構成される。同様に、ＮＲＺデータ変調信号のデータ「０」に重畳されたクロック信号のパルス列のみを取り出す回路部分は、プリアンプ１５から出力される差動電圧振幅信号を入力とし、データ「Ｌ」レベルピーク検出回路１８により検出されたピーク電圧値を増幅器のバイアス制御回路に使用している差動増幅器４７およびこの差動増幅器４７の出力信号を入力とし、データ「０」に重畳されたクロック信号のパルス列を抽出するためのリミッタアンプ４８で構成される。更に、これら両リミッタアンプ４５、４８の出力信号を入力とするＯＲゲート４９によりクロックを抽出する。
【００２９】
以下、本発明による光伝送装置１０の動作を、図４および図５の動作波形図を参照して説明する。先ず、図２に示した送信側１、特にＬＤ駆動回路１１の動作を、図４の信号波形図を参照して説明する。図４中の（ａ）〜（ｊ）は、図２中に示す回路部分ａ〜ｉの動作波形である。図４（ａ）に示すＮＲＺデータ変調信号、図４（ｂ）に示すクロック信号および図４（ｃ）に示すバイアス信号がＬＤ駆動回路１１に入力された場合の動作を考える。図４（ｄ）は、ＮＲＺデータ変調信号のデータ「１」の部分に入力クロック信号の反転パルス列を生成するＡＮＤ回路２０の出力波形である。図４（ｅ）は、ＮＲＺデータ変調信号のデータ「０」の部分に入力クロック信号の正相パルス列を生成するＡＮＤ回路２２の出力波形である。これら両信号（ｄ）および（ｅ）をＯＲゲート２４で論理和を取ったＯＲゲート２４の出力信号が図４（ｆ）である。
【００３０】
次に、図４（ｇ）は、入力したＮＲＺデータ変調信号（図４（ａ））をＬＤ１２から出力されるレーザ光の変調電流に変換した波形である。図４（ｈ）は、図４（ｆ）の電圧波形を矩形波パルス電流に変換した、トランジスタ３３のコレクタ電流波形である。従って、図４（ｉ）に示すようにＬＤ１２の駆動電流は、図４（ｇ）のＮＲＺデータ変調電流に直流バイアス電流および図４（ｈ）のクロック信号情報の矩形波パルス電流の３つの電流を合成した電流波形となり、この電流がＬＤ１２に供給され、図４（ｊ）に示すようにレーザ光となる。このレーザ光が光ファイバケーブル１３を介して受信側２に伝送される。
【００３１】
次に、図３に示した受信側２の主にクロック抽出回路１９の具体例の動作を、図５の信号波形図を参照して説明する。また、図５（ａ）〜（ｇ）は、図３中に示す回路部分ａ〜ｇの動作波形に対応している。図５（ａ）は、送信側１から光ファイバケーブル１３を介して伝送されるレーザ光をＰＤ１４により光−電気変換しプリアンプ１５により増幅した信号波形である。この図５（ａ）の信号が、データ等化・再生回路１６、データ「Ｈ」レベルピーク検出回路１７、データ「Ｌ」レベルピーク検出回路１８およびクロック抽出回路１９の各部に供給される。
【００３２】
図５（ｂ）は、差動増幅器４４の出力波形である。データ「Ｈ」レベルピーク検出回路１７により検出されたピーク電圧値を増幅器４４のバイアス制御回路に使用しているため、ＮＲＺデータ変調信号のデータ「１」に重畳されたクロック信号の振幅の中心値がクロスするような出力が得られる。この図５（ｂ）に示す信号をリミッタアンプ４５に入力することにより、このリミッタ増幅器４５から図５（ｃ）に示す如く、ＮＲＺデータ変調信号のデータ「１」に重畳されたクロック信号のパルス列のみを取り出すことができる。
【００３３】
同様に、図５（ｄ）は、差動増幅器４７の出力波形である。データ「Ｌ」レベルピーク検出回路１８により検出されたピーク電圧値を増幅器４７のバイアス制御回路に使用しているため、ＮＲＺデータ変調信号のデータ「０」に重畳されたクロック信号の振幅の中心値がクロスするような出力が得られる。この信号をリミッタアンプ４８に入力することにより、その出力から図５（ｅ）に示す如く、ＮＲＺデータ変調信号のデータ「０」に重畳されたクロック信号のパルス列のみを取り出すことができる。これら図５（ｃ）および（ｅ）をＯＲゲート４９により論理和すると、図５（ｆ）に示す如く、抽出したクロック波形となる。
【００３４】
最後に、図５（ｇ）は、データ等化・再生回路１６の出力波形である。この出力波形（ｇ）は、図５（ａ）のプリアンプ１５の出力を更にポストアンプで増幅し、リミッタアンプによりＮＲＺ変調データ信号の再生を行い、抽出されたクロック信号（図５（ｆ））を使用してリタイミングされた後のＮＲＺ変調データ信号である。
【００３５】
以上、本発明による光伝送装置の好適実施形態の構成および動作を詳述した。しかし、斯かる実施形態は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【００３６】
【発明の効果】
以上の説明から明らかなように、本発明の光伝送装置によれば、次の如く実用上の顕著な効果が得られる。送信側のレーザ駆動回路において、ＮＲＺデータ変調信号に直流バイアスおよびＮＲＺデータ変調信号のデータ「０」に入力クロック信号の正相パルス列とデータ「１」に入力クロック信号の反転パルス列とを直流バイアスよりも振幅の小さい矩形波パルス信号を重畳したレーザ光を送信側から出力している。　受信側では、プリアンプの電圧振幅信号からデータ振幅の「Ｈ」および「Ｌ」レベルのピーク検出行う。検出されたピーク電圧値を増幅器のバイアス制御に使用することにより、ＮＲＺデータ変調信号のデータ「１」に重畳されたクロック信号のパルス列のみを取り出す増幅器、同様にＮＲＺデータ変調信号のデータ「０」に重畳されたクロック信号のパルス列のみを取り出す増幅器、それらのパルス列を加算してクロックを再生する手段で構成する。その結果、受信クロック抽出にバンドパスフィルタおよびＰＬＬ回路を使用することなく且つ伝送する信号パターンに影響を受けることない。更に、中断のない安定したクロックの抽出を行うことができ、低コストで単純な回路構成で光伝送装置が実現可能である。
【図面の簡単な説明】
【図１】本発明による光伝送装置の好適実施形態の全体構成を示すブロック図である。
【図２】図１中の送信側の具体例の回路構成図である。
【図３】図１中の受信側の具体例の詳細構成図である。
【図４】図２に示す送信側の各部動作を示す波形図である。
【図５】図３に示す受信側の各部動作を示す波形図である。
【図６】従来の光伝送装置の全体構成を示すブロック図である。
【図７】図６に示す光伝送装置の具体例の構成を示すブロック図であり、（ａ）は送信側、（ｂ）は受信側のクロック抽出回路である。
【符号の説明】
１　送信側
２　受信側
１０　光伝送装置
１１　レーザ駆動回路
１２　半導体レーザダイオード（ＬＤ）
１３　光ファイバケーブル
１４　フォトダイオード（ＰＤ）
１５　プリアンプ
１６　データ等化・再生回路
１７　データ「Ｈ」レベルピーク検出回路
１８　データ「Ｌ」レベルピーク検出回路
１９　クロック抽出回路
２０、２２　ＡＮＤゲート
２１、２３　ＮＯＴゲート
２４、４９　ＯＲゲート
２５、２６　差動出力形バッファ
４４、４７　差動増幅器
４５、４８　リミッタアンプ
【図１】
2004064178.tif 000003
【図２】
2004064178.tif 000004
【図３】
2004064178.tif 000005
【図４】
2004064178.tif 000006
【図５】
2004064178.tif 000007
【図６】
2004064178.tif 000008
【図７】
2004064178.tif 000009